(57)【特許請求の範囲】
【請求項１】
着色剤、水及び水溶性有機溶剤を含むインクジェット記録用水性インクであって、
前記着色剤が、リン酸基により修飾された自己分散型顔料を含み、
前記水性インクが、さらに、スルホベタイン型界面活性剤を含み、
前記水性インク全量に対する前記スルホベタイン型界面活性剤の配合量が、０．３重量％〜５重量％であることを特徴とするインクジェット記録用水性インク。
【請求項２】
前記水溶性有機溶剤が、トリメチロールプロパン及びトリメチロールエタンの少なくとも一方を含むことを特徴とする請求項１記載のインクジェット記録用水性インク。
【請求項３】
インクジェット記録用水性インクを含むインクカートリッジであって、前記水性インクが、請求項１又は２記載のインクジェット記録用水性インクであることを特徴とするインクカートリッジ。
【請求項４】
記録媒体に水性インクをインクジェット方式により吐出して記録するインクジェット記録方法であって、
前記水性インクとして、請求項１又は２記載のインクジェット記録用水性インクを用いることを特徴とするインクジェット記録方法。
【請求項５】
インク収容部及びインク吐出手段を含み、前記インク収容部に収容されたインクを前記インク吐出手段によって吐出するインクジェット記録装置であって、
前記インク収容部に、請求項１又は２記載のインクジェット記録用水性インクが収容されていることを特徴とするインクジェット記録装置。
【発明の詳細な説明】
【技術分野】
【０００１】
本発明は、インクジェット記録用水性インク、インクカートリッジ、インクジェット記録方法及びインクジェット記録装置に関する。
【背景技術】
【０００２】
インクジェット記録用水性インクにおいて、自己分散型顔料が使用されることがある。前記自己分散型顔料は、顔料にリン酸基、カルボン酸基又はスルホン酸基のような少なくとも一種の親水基又はその塩を結合させるように処理をすることによって得ることができる。前記自己分散型顔料は、高分子顔料分散剤を必要としないことから、水性インクの粘度上昇を防止することができる。また、顔料に結合する親水基のうち、特にリン酸基により処理された自己分散型顔料は、カルボン酸基又はスルホン酸基により処理された自己分散型顔料と比べて、高い光学濃度（ＯＤ値）が得られる（特許文献１及び２）。
【先行技術文献】
【特許文献】
【０００３】
【特許文献１】特表２００９−５１５００７号公報
【特許文献２】特表２００９−５１３８０２号公報
【発明の概要】
【発明が解決しようとする課題】
【０００４】
一方、リン酸基により処理された自己分散型顔料を用いた水性インクには、一般的なインク組成において、再分散性が良好ではないという問題がある。前記再分散性が良好ではない水性インクでは、前記水性インクがインクジェットヘッドのインク流路やノズル近傍において一度蒸発乾固し、固形物を生じると、再度水性インクを吐出しようとした場合に新たに水性インクと接触しても、前記固形物が溶解及び分散されず、吐出安定性に支障をきたすおそれがある。また、リン酸基により処理された自己分散型顔料を用いたインクジェット記録用水性インクは、カルボン酸基又はスルホン酸基により処理された自己分散型顔料と比べて高い光学濃度（ＯＤ値）が得られるが、更なる光学濃度（ＯＤ値）の向上が求められている。
【０００５】
そこで、本発明は、自己分散型顔料を含む水性インクであって、再分散性に優れ、高い光学濃度（ＯＤ値）が得られるインクジェット記録用水性インクを提供することを目的とする。
【課題を解決するための手段】
【０００６】
前記目的を達成するために、本発明のインクジェット記録用水性インクは、
着色剤、水及び水溶性有機溶剤を含むインクジェット記録用水性インクであって、
前記着色剤が、リン酸基により修飾された自己分散型顔料を含み、
前記水性インクが、さらに、スルホベタイン型界面活性剤を含み、
前記水性インク全量に対する前記スルホベタイン型界面活性剤の配合量が、０．３重量％〜５重量％であることを特徴とする。
【発明の効果】
【０００７】
前記目的を達成するために、本発明者等は、一連の研究を重ねたところ、リン酸基により修飾された自己分散型顔料を着色剤として用いた場合、さらに、前記所定量のスルホベタイン型界面活性剤を含ませれば、再分散性に優れ、高い光学濃度（ＯＤ値）が得られることを見出し本発明に想到した。
【図面の簡単な説明】
【０００８】
【図１】図１は、本発明のインクジェット記録装置の構成の一例を示す概略斜視図である。
【図２】図２は、本発明の実施例における再分散性評価基準を示す図である。
【発明を実施するための形態】
【０００９】
本発明において、「再分散性」とは、例えば、水性インクが一度蒸発乾固し、固形物が生じた後、新たに水性インクと接触した際の前記固形物の溶解性及び分散性を言う。
【００１０】
本発明のインクジェット記録用水性インク（以下、「水性インク」又は「インク」と言うことがある。）について説明する。本発明の水性インクは、着色剤、水及び水溶性有機溶剤を含む。前述のとおり、前記着色剤は、リン酸基により修飾された自己分散型顔料（以下、「リン酸基修飾自己分散型顔料」と言うことがある。）を含む。リン酸基修飾自己分散型顔料を含ませることで、光学濃度（ＯＤ値）の高い水性インクを得ることができるが、後述のように、さらに、スルホベタイン型界面活性剤を含ませることで、光学濃度（ＯＤ値）のより高い水性インクを得ることができる。前記リン酸基修飾自己分散型顔料は、例えば、特表２００９−５１５００７号公報、特表２０１１−５１５５３５号公報、特開２００６−１９９９６８号公報、特表２００９−５１３８０２号公報、特表２０１１−５１０１５５号公報に記載の方法により調製できる。前記リン酸基修飾自己分散型顔料は、例えば、市販品を用いてもよい。
【００１１】
前記自己分散型顔料の原料として用いることができる顔料としては、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、これら以外の顔料として、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等もあげられる。特に、前記リン酸基による修飾を行うのに適した顔料としては、例えば、三菱化学（株）製の「ＭＡ８」及び「ＭＡ１００」等のカーボンブラックがあげられる。
【００１２】
前記水性インク全量に対する前記リン酸基修飾自己分散型顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１０重量％であり、より好ましくは、２重量％〜８重量％である。
【００１３】
前記着色剤は、前記リン酸基修飾自己分散型顔料に加え、さらに他の顔料及び染料等を含んでもよい。
【００１４】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１５】
前記水溶性有機溶剤としては、例えば、インクジェットヘッドのノズル先端部における水性インクの乾燥を防止する湿潤剤及び記録媒体上での乾燥速度を調整する浸透剤があげられる。
【００１６】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン、トリメチロールプロパン、トリメチロールエタン等の多価アルコールが好ましい。
【００１７】
前記水性インク全量に対する前記湿潤剤の配合量は、例えば、０重量％〜９５重量％であり、好ましくは、５重量％〜８０重量％であり、より好ましくは、５重量％〜５０重量％である。
【００１８】
前記湿潤剤は、トリメチロールプロパン及びトリメチロールエタンの少なくとも一方を含むことが、特に好ましい。トリメチロールプロパン及びトリメチロールエタンの少なくとも一方を含むことで、光学濃度（ＯＤ値）がより高い水性インクを得ることができる。前記水性インク全量に対するトリメチロールプロパン及びトリメチロールエタンの少なくとも一方の配合量は、例えば、１重量％〜５０重量％であり、好ましくは、５重量％〜３０重量％であり、より好ましくは、５重量％〜２０重量％である。
【００１９】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２０】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００２１】
前述のとおり、前記水性インクは、さらに、スルホベタイン型界面活性剤を含む。スルホベタイン型界面活性剤を含ませることで、再分散性に優れ、従来の水性インクよりさらに光学濃度（ＯＤ値）の高い水性インクを得ることができると推定される。スルホベタイン型界面活性剤は、分子内にカチオン部及びアニオン部を有する。前記アニオン部の酸解離定数は、カルボン酸の酸解離定数よりも低い。このため、カルボキシベタイン型界面活性剤ではなく、スルホベタイン型界面活性剤を含ませることで、前述の物性の向上が見られると考えられる。ただし、このメカニズムは推定であり、本発明は、この推定に限定されない。
【００２２】
前記スルホベタイン型界面活性剤としては、例えば、スルホベタイン、ヒドロキシベタイン、アミドスルホベタイン等があげられる。具体的には、例えば、３−（ドデシルジメチルアンモニオ）プロパンスルホナート、ラウリル（２−ヒドロキシ−３−スルホプロピル）ジメチルベタイン、２−ヒドロキシ−Ｎ，Ｎ−ジメチル−Ｎ−［３−［（１−オキソドデシル）アミノ］プロピル］−３−スルホナト−１−プロパンアミニウム等があげられる。前記スルホベタイン型界面活性剤は、市販品を用いてもよい。３−（ドデシルジメチルアンモニオ）プロパンスルホナートは、例えば、東京化成工業（株）から入手できる。ラウリル（２−ヒドロキシ−３−スルホプロピル）ジメチルベタインは、例えば、花王（株）から入手できる（商品名「アンヒトール（登録商標）  ２０ＨＤ」）。２−ヒドロキシ−Ｎ，Ｎ−ジメチル−Ｎ−［３−［（１−オキソドデシル）アミノ］プロピル］−３−スルホナト−１−プロパンアミニウムは、例えば、川研ファインケミカル（株）から入手できる（商品名「ソフダソリン（登録商標）  ＬＳＢ」及び「ソフダソリン（登録商標）  ＬＳＢ−Ｒ」）。
【００２３】
前記水性インク全量に対する前記スルホベタイン型界面活性剤の配合量は、０．３重量％〜５重量％であり、好ましくは、１重量％〜５重量％である。前記スルホベタイン型界面活性剤は、１種類を単独で用いてもよいし、２種類以上を併用してもよい。
【００２４】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００２５】
前記水性インクは、例えば、着色剤、水及び水溶性有機溶剤と、スルホベタイン型界面活性剤と、必要に応じて他の添加成分とを、従来公知の方法で均一に混合し、フィルタ等で不溶解物を除去することにより調製できる。
【００２６】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００２７】
つぎに、本発明のインクジェット記録方法及びインクジェット記録装置について説明する。
【００２８】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００２９】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３０】
本発明のインクジェット記録方法は、例えば、本発明のインクジェット記録装置を用いて実施可能である。前記記録は、印字、印画、印刷等を含む。
【００３１】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３２】
４つのインクカートリッジ２は、イエロー、マゼンタ、シアン及びブラックの４色の水性インクを、それぞれ１色ずつ含む。例えば、前記水性ブラックインク及び水性シアンインクの少なくとも一方が、本発明のインクジェット記録用水性インクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３３】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３４】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３５】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３６】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性インクは、再分散性に優れるため、インクジェットヘッド３からの安定した吐出が可能である。また、本発明の水性インクを用いることで、光学濃度（ＯＤ値）の高い記録物を得ることができる。記録後の記録用紙Ｐは、インクジェット記録装置１から排紙される。図１においては、記録用紙Ｐの給紙機構及び排紙機構の図示を省略している。
【００３７】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００３８】
つぎに、本発明の実施例について比較例と併せて説明する。なお、本発明は、下記の実施例及び比較例により限定及び制限されない。
【００３９】
［実施例１〜１１及び比較例１〜１３］
水性インク組成（表１及び表２）における、自己分散型顔料を除く成分を、均一に混合しインク溶媒を得た。つぎに、水に分散させた自己分散型顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１〜１１及び比較例１〜１３のインクジェット記録用水性インクを得た。
【００４０】
実施例及び比較例の水性インクについて、（ａ）再分散性評価及び（ｂ）光学濃度（ＯＤ値）評価を、下記方法により実施した。
【００４１】
（ａ）再分散性評価
スライドガラスに、実施例及び比較例の水性インク１２μＬを滴下した。ついで、前記スライドガラスを、温度６０℃、相対湿度４０％の環境下に一晩静置することで、前記水性インクを蒸発乾固させた。つぎに、前記蒸発乾固後の固形物上にスポイトで水３滴を滴下した。このようにして作製した評価サンプルを肉眼及び倍率５０倍の顕微鏡で観察し、下記評価基準に従って再分散性を目視評価した。
【００４２】
再分散性評価  評価基準
ＡＡ：肉眼では固形物の溶解・分散のこりが確認されず、顕微鏡で観察した場合においても図２（ａ）に示すように溶解・分散していた。
Ａ  ：顕微鏡で観察した場合に若干の粗大な粒子が確認されたが、実用上問題のないレベルであった。
Ｂ  ：固形物が水に徐々に溶解・分散するが、肉眼においても溶解・分散しきれていない固形物の残りが確認され、顕微鏡で観察すると図２（ｂ）に示すように塊状のものが観察された。
Ｃ  ：図２（ｃ）に示すように、固形物が水に全く溶解・分散せず、塊状のままであった。
【００４３】
（ｂ）光学濃度（ＯＤ値）評価
ブラザー工業（株）製のインクジェットプリンタ搭載デジタル複合機ＭＦＣ−Ｊ６７１０ＤＷを使用して、実施例及び比較例の水性インクを用いて普通紙上に解像度６００ｄｐｉ×３００ｄｐｉで黒単色パッチ（実施例１０においてはシアン単色パッチ）を記録し評価サンプルを作製した。前記評価サンプルの光学濃度（ＯＤ値）を、Ｘ−Ｒｉｔｅ社製の分光測色計ＳｐｅｃｔｒｏＥｙｅ（光源：Ｄ５０、視野角２°、ＳＴＡＴＵＳ  Ｔ）により測定した。前記普通紙には、ＮＢＳ  リコー社製のマイペーパー（普通紙１）、ＩＮＴＥＲＮＡＴＩＯＮＡＬ  ＰＡＰＥＲ社製のＨＡＭＭＥＲ  ＭＩＬＬ  ＬＡＳＥＲ  ＰＲＩＮＴ（普通紙２）及びＸＥＲＯＸ社製のＲＥＣＹＣＬＥ  ＳＵＰＲＥＭ（普通紙３）を用いた。前記光学濃度（ＯＤ値）の測定は、各普通紙について５回行った。
【００４４】
実施例の水性インクの水性インク組成及び評価結果を、表１に示す。また、比較例の水性インクの水性インク組成及び評価結果を、表２に示す。なお、表１及び表２において、「３紙平均」（最下段）は、前記普通紙１〜３のそれぞれの平均値（５回測定）の和を３で除した３紙の測定結果の平均値である。
【００４５】
【表１】
0005704514.tif 000002
【００４６】
【表２】
0005704514.tif 000003
【００４７】
表１及び表２に示すとおり、実施例１〜９では、スルホベタイン型界面活性剤を用いなかったこと以外は同条件である比較例１と比べて、３紙平均の光学濃度（ＯＤ値）が０．０３〜０．０８向上した。湿潤剤としてトリメチロールプロパン又はトリメチロールメタンを用いた実施例６〜９では、３紙平均の光学濃度（ＯＤ値）が特に高かった。また、実施例１０では、スルホベタイン型界面活性剤を用いなかったこと以外は同条件である比較例９と比べて、３紙平均の光学濃度（ＯＤ値）が０．０３向上した。また、３種のスルホベタイン型界面活性剤を併用した実施例１１でも、３紙平均の光学濃度（ＯＤ値）が高かった。
【００４８】
一方、表２に示すとおり、スルホベタイン型界面活性剤に代えてカルボキシベタイン型界面活性剤を用いた比較例２〜４では、再分散性が悪かった。また、スルホベタイン型界面活性剤に代えてアミンオキサイド型ベタイン型界面活性剤を用いた比較例５では、アミンオキサイド型ベタイン型界面活性剤を用いなかったこと以外は同条件である比較例１と比べて、３紙平均の光学濃度（ＯＤ値）の向上が全く見られなかった。
【００４９】
スルホベタイン型界面活性剤の配合量を０．１０重量％とした比較例６では、スルホベタイン型界面活性剤を用いなかったこと以外は同条件である比較例１と比べて、３紙平均の光学濃度（ＯＤ値）の向上が全く見られなかった。また、スルホベタイン型界面活性剤の配合量を１０．００重量％とした比較例７では、再分散性が極めて悪かった。
【００５０】
湿潤剤としてトリメチロールプロパンを用いたものの、スルホベタイン型界面活性剤を用いなかった比較例８では、トリメチロールプロパンを用いなかったこと以外は同条件である比較例１と比べて、３紙平均の光学濃度（ＯＤ値）の向上が全く見られなかった。
【００５１】
リン酸基修飾自己分散型黒顔料に代えてカルボン酸基により修飾された自己分散型黒顔料を用いた比較例１０及び比較例１１では、それ以外は同条件である比較例１及び実施例１と比べて、３紙平均の光学濃度（ＯＤ値）が低かった。また、リン酸基修飾自己分散型黒顔料に代えてスルホン酸基により修飾された自己分散型黒顔料を用いた比較例１２及び比較例１３でも、それ以外は同条件である比較例１及び実施例１と比べて、３紙平均の光学濃度（ＯＤ値）が低かった。
【産業上の利用可能性】
【００５２】
以上のように、本発明の水性インクは、再分散性に優れ、光学濃度（ＯＤ値）が高いものである。本発明の水性インクの用途は、特に限定されず、各種のインクジェット記録に広く適用可能である。
【符号の説明】
【００５３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0005704514.tif 000004
【図２】
0005704514.tif 000005